【手続補正書】
【提出日】平成18年9月19日(2006.9.19)
【手続補正１】
【補正対象書類名】特許請求の範囲
【補正対象項目名】全文
【補正方法】変更
【補正の内容】
【特許請求の範囲】
【請求項１】
電磁誘導により、少なくも一つの携帯型電子機器または電子機器に電力を伝送するシステムであって、
電力伝送面と電磁誘導により電力を供給する供給手段とを備える主装置と、
前記主装置から分離可能であり、前記電力伝送面上またはその近傍に配置される際に前記供給手段から電磁誘導により電力を受信するように構成される携帯型電子機器または電子機器と、
前記電子機器が前記電力伝送面上または近傍に配置されるように、少なくとも第１及び第２の異なる相対位置のいずれかにおいて、前記電子機器を前記主装置に解除可能に一時的に接続する接続手段と、を備え、
前記主装置及び前記電子機器は、前記電子機器が前記供給手段から電磁誘導により電力を受信するために前記電力伝送面に対して配置可能な、前記第１及び第２の異なる相対位置を有するように配置され、
前記接続手段は、前記電子機器が前記位置のいずれかにおいて前記主装置と接続される際に、非重力的力を供給し前記電子機器が電力伝送面から電力伝送面に略直交する方向に移動することを防ぐように作動することを特徴とするシステム。
【請求項２】
前記接続手段は前記電子機器の表面に設置され、前記電子機器が前記供給手段から電磁誘導により電力を受信する際に、前記表面が前記電力伝送面上またはその近傍にあることを特徴とする請求項１記載のシステム。
【請求項３】
前記接続手段は、前記電子機器に配置される第１接続部と前記電力伝送面に配置される第２接続部とからなり、
前記第１接続部は、前記電子機器が前記電力伝送面に接続可能ではあるが別の電子機器には接続不可能に、及び前記電力伝送面が別の電力伝送面に接続不可能になるように、前記第２接続部に対応することを特徴とする請求項１または２記載のシステム。
【請求項４】
請求項１に記載の前記主装置及び請求項１に記載の前記携帯型電子機器は、第１の型の接続手段を備え、
一方の型の接続手段を備える主装置がもう一方の型の接続手段を備える携帯型電子機器とは接続不可能なように、別の主装置と、第２の型の接続手段を備える別の携帯型電子機器と、を更に備えることを特徴とする請求項１から請求項３いずれかに記載のシステム。
【請求項５】
前記システムの稼動中、前記電子機器が前記電力伝送面上またはその近傍にある際に、前記電子機器は前記電力伝送面よりも下部にあることを特徴とする請求項１から請求項４いずれかに記載のシステム。
【請求項６】
前記主装置は、移動可能な手段によって運ばれることを特徴とする請求項１から請求項５いずれかに記載のシステム。
【請求項７】
電力伝送システムに使用される主装置であって、前記電力伝送システムは、前記主装置から分離可能であり、前記主装置上またはその近傍に設置される際に、前記主装置から電磁誘導により電力を受信するよう構成される携帯型電子機器または電子機器を備え、
電力伝送面と、
電力を電磁誘導により供給する供給手段と、
前記電子機器が前記電力伝送面上またはその近傍に配置されるように、少なくとも第１及び第２の異なる相対位置のいずれかにおいて、前記電子機器を前記主装置に解除可能に一時的に接続する接続手段と、を備え、
前記主装置は、前記電子機器が前記供給手段から電磁誘導により電力を受信するために前記電力伝送面に対して配置可能な、前記第１及び第２の異なる相対位置を有するように配置され、
前記接続手段は、前記電子機器が前記位置のいずれかにおいて前記主装置と接続される際に、非重力的力を供給し前記電子機器が電力伝送面から電力伝送面に略直交する方向に移動することを防ぐように作動することを特徴とする主装置。
【請求項８】
前記接続手段は、前記主装置が電磁誘導により電力を供給可能であることをユーザに知らせるための、一つ以上の審美的または視覚的特質を備えることを特徴とする請求項７記載の主装置。
【請求項９】
前記接続手段は、前記電力伝送面に配置されることを特徴とする請求項７又は８に記載の主装置。
【請求項１０】
前記電力伝送面は平面であることを特徴とする請求項７から請求項９いずれかに記載の主装置。
【請求項１１】
前記主装置の使用中、前記電力伝送面は垂直であることを特徴とする請求項７から請求項１０のいずれかに記載の主装置。
【請求項１２】
電力伝送面と電磁誘導による電力の供給手段とを備える主装置から電力を受信する携帯型電子機器または電子機器であって、
前記電子機器は、前記主装置から分離可能であり、前記第１の電力伝送面上またはその近傍に設置される際に前記供給手段から電磁誘導により電力を受信するように構成され、
前記電子機器は、前記供給手段から電磁誘導により電力を受信するために、前記電力伝送面に対して配置可能な少なくとも第１及び第２の異なる相対位置を有するように配置され、
前記電子機器は、前記電力伝送面上またはその近傍に配置されるように前記第１及び第２の各位置において、前記主装置に解除可能に一時的に接続する接続手段を備え、
前記接続手段は、前記電子機器が前記位置のいずれかにおいて前記主装置と接続される際に、非重力的力を供給し前記装置が前記電力伝送面から前記電力伝送面に略直交する方向に移動することを防ぐように作動することを特徴とする電子機器。
【請求項１３】
前記接続手段は、２つ以上の別々の位置において、前記電子機器を前記主装置に接続するように構成されていることを特徴とする請求項７から請求項１１のいずれかに記載の主装置。
【請求項１４】
前記接続手段は、前記電力伝送面の一次元並進の延長線に沿った任意の位置または前記電力伝送面の二次元領域内の任意の位置において、前記電子機器を前記主装置に接続するように構成されていることを特徴とする請求項７から請求項１１のいずれかに記載の主装置。
【請求項１５】
前記接続手段は、Ｖｅｌｃｒｏ(登録商標)からなることを特徴とする請求項７から請求項１１のいずれかに記載の主装置。
【請求項１６】
前記接続手段は、Ｓｔｉｃｋｌｅ−Ｂｒｉｃｋｓ(登録商標)などのスパイクシステムからなることを特徴とする請求項７から請求項１１のいずれかに記載の主装置。
【請求項１７】
電力伝送面を備える主装置から電磁誘導により複数の携帯型電子機器または電子機器への電力伝送方法であって、
前記のまたはそれぞれの携帯型電子機器または電子機器は、前記主装置から分離可能であり、前記電力伝送面上またはその近傍に配置される際に前記主装置から電磁誘導により電力を受信するように構成され、
前記主装置から電磁誘導により電力を受信するために、前記電子機器が前記電力伝送面に対して配置可能となる、少なくとも第１及び第２の異なる相対位置を備え、
前記電子機器が電力伝送面上またはその近傍に配置される際に、前記位置のいずれかにおいて前記電子機器が前記主装置に解除可能に一時的に接続されるように、非重力的力を供給し前記装置が前記電力伝送面から前記電力伝送面に略直交する方向に移動することを防ぐように作動することを特徴とする電力伝送方法。
【請求項１８】
電磁誘導により、複数の携帯型電子機器または電子機器に電力を伝送するシステムであって、
電力伝送面と、電磁誘導により電力を供給する供給手段とを備える主装置と、
前記主装置から分離可能であり、前記電力伝送面上またはその近傍に配置される際に前記供給手段から電磁誘導により電力を受信するように構成される携帯型電子機器または電子機器と、
前記主装置及び前記電子機器は、前記供給手段から電磁誘導により電力を受信するために、前記電子機器が前記電力伝送面に対して配置可能となる、少なくとも前記第１及び第２の異なる相対位置、または少なくとも第１及び第２の相対的方向に配置され、
前記電子機器は高い摩擦性を有する表面を備え、前記位置または前記相対的方向のいずれかに配置される際に、前記電力伝送面は、前記電子機器が前記表面に平行方向にある前記電力伝送面上を滑動することを防ぐ力を作動するように構成されることを特徴とするシステム。
【請求項１９】
前記電子機器もまた高い摩擦性を有する表面部を備え、前記電子機器が前記供給手段から電磁誘導により電力を受信するために配置される際に、前記表面部は前記電力伝送面の前記高い摩擦性を有する表面と接触することを特徴とする請求項１８に記載のシステム。
【請求項２０】
複数の前記携帯型電子機器または電子機器を備え、
前記複数の前記携帯型電子機器または電子機器のうち少なくとも１つは他の電子機器とは異なる型を有することを特徴とする請求項１、２、３、４、１８、１９のいずれかに記載のシステム。
【請求項２１】
複数の前記携帯型電子機器または電子機器を備え、
前記主装置は、少なくとも２つの電子機器に同時に電力を供給することを特徴とする請求項１から請求項５及び請求項１８から請求項２０のいずれかに記載のシステム。
【請求項２２】
前記主装置は、移動可能な手段によって運ばれることを特徴とする請求項１８から請求項２１いずれかに記載のシステム。
【請求項２３】
電力伝送システムにおいて使用される主装置であって、前記電力伝送システムは、前記主装置から分離可能であり、前記主装置上またはその近傍に配置される際に前記主装置から電磁誘導により電力を受信するように構成される携帯型電子機器または電子機器を備え、
電力伝送面と、
電磁誘導により電力を供給する供給手段と、を備え、
前記主装置は、前記供給手段から電磁誘導により電力を受信するため、前記電子機器が前記電力伝送面に対して配置可能となる、少なくとも前記第１及び第２の異なる相対位置、または少なくとも第１及び第２の相対的方向を有するように配置され、
前記電力伝送面は高い摩擦性を有する表面を備え、前記表面は前記電子機器が前記位置または前記相対的方向のいずれかに接触して配置される際に、前記電子機器が前記表面に平行方向にある前記電力伝送面上を滑動することを防ぐ力を働かせるよう構成されていることを特徴とする主装置。